(57)【要約】      （修正有）【課題】ＮＣ工作機械等の近くに置かれるピンゲージの紛失を抑制することが可能で、かつ、ピンゲージの使い勝手の良いピンゲージスタンドを提供する。【解決手段】ピンゲージスタンド１には、ピンゲージ３が立てられるピンゲージ用孔１ａと、ピンゲージ３が収容可能なゲージケース２が立てられるケース用孔１ｂとが形成されている。このピンゲージスタンド１では、ピンゲージ３を使用するたびにゲージケース２の中からピンゲージ３を取り出さなくても、また、ピンゲージ３の使用が終わるたびにゲージケース２の中へピンゲージ３を収容しなくても、ピンゲージ用孔１ａにピンゲージ３を立てておくことができるため、ピンゲージ３の使い勝手が良い。また、作業者は、ＮＣ工作機械等の近くに置かれるピンゲージ３をピンゲージ用孔１ａに立てておくようになり、その結果、ピンゲージ３の紛失を抑制することが可能になる。【選択図】図１
0003178034.tif 000002
【実用新案登録請求の範囲】
【請求項１】
持ち運びが容易な小型のピンゲージスタンドであって、
ピンゲージが立てられるピンゲージ用孔と、前記ピンゲージが収容可能なゲージケースが立てられるケース用孔とが形成されていることを特徴とするピンゲージスタンド。
【請求項２】
複数の前記ピンゲージ用孔が一列に配列されるように形成され、複数の前記ケース用孔が一列に配列されるように形成されるとともに、
前記ピンゲージ用孔と前記ケース用孔とが対をなすように隣接して形成されていることを特徴とする請求項１記載のピンゲージスタンド。
【請求項３】
オネジ用のネジリングゲージが収容されるリングゲージ用孔が形成されていることを特徴とする請求項１または２記載のピンゲージスタンド。
【請求項４】
前記ピンゲージ用孔および前記ケース用孔が形成される略直方体状のピンゲージ保持部と、前記ピンゲージ保持部の１つの側面の下端側から突出するように形成されるとともに前記リングゲージ用孔が形成される略平板状のリングゲージ保持部とを備え、略階段状に形成されていることを特徴とする請求項３記載のピンゲージスタンド。
【考案の詳細な説明】
【技術分野】
【０００１】
本考案は、ＮＣ工作機械等の機械の近くにピンゲージを立てておくためのピンゲージスタンドに関する。
【背景技術】
【０００２】
一般に、ピンゲージは、円筒状や多角筒状に形成されるケースの中に個別に収容された状態で、収容箱の中に収容されている。収容箱には、ケースが立てられる多数の孔が形成されており、多数のピンゲージが収容されているため、収容箱は大きい。したがって、ＮＣ工作機械やＭＣ（マシニングセンタ）等の機械の近くに収容箱ごとピンゲージを持ってくることは困難であり、作業者は、一般に、必要分だけ収容箱から取り出したピンゲージをそのまま機械の近くに置いて使用する。しかしながら、ピンゲージがそのまま機械の近くに置かれると、ピンゲージを紛失しやすい。
【０００３】
そこで、従来、円筒状のケースの中に収容されたピンゲージを収容箱から必要本数持ってきて、ケースに収容された状態のピンゲージを機械の近くへ置くためのスタンドが提案されている（たとえば、特許文献１参照）。特許文献１に記載のスタンドには、ケースの本体が立てられる深い孔と、ケースの蓋が立てられる浅い孔とが形成されており、ピンゲージは、深い孔に立てられたケースの本体の中に収容されることで、機械の近くに置かれる。
【先行技術文献】
【特許文献】
【０００４】
【特許文献１】実用新案登録第３０９１８７２号公報
【考案の概要】
【考案が解決しようとする課題】
【０００５】
特許文献１に記載のスタンドでは、ピンゲージは、深い孔に立てられたケース本体の中に収容されることで、機械の近くに置かれる。そのため、作業者は、ピンゲージを使用するたびにケース本体の中からピンゲージを取り出し、かつ、ピンゲージの使用が終わるたびにケース本体の中へピンゲージを収容しなければならず、ピンゲージの使い勝手が悪い。また、このように使い勝手が悪いため、作業者がピンゲージをケース本体の中に収容しなくなるといった事態が起こりうる。ピンゲージがケース本体の中に収容されなくなると、機械の近くにスタンドが置かれているにもかかわらず、ピンゲージが紛失しやすくなるといった問題は解消されない。
【０００６】
そこで、本考案の課題は、ＮＣ工作機械等の近くに置かれるピンゲージの紛失を抑制することが可能で、かつ、ピンゲージの使い勝手の良いピンゲージスタンドを提供することにある。
【課題を解決するための手段】
【０００７】
上記の課題を解決するため、本考案のピンゲージスタンドは、持ち運びが容易な小型のピンゲージスタンドであって、ピンゲージが立てられるピンゲージ用孔と、ピンゲージが収容可能なゲージケースが立てられるケース用孔とが形成されていることを特徴とする。
【０００８】
本考案のピンゲージスタンドには、ピンゲージが立てられるピンゲージ用孔が形成されているため、ピンゲージを使用するたびにゲージケースの中からピンゲージを取り出さなくても、また、ピンゲージの使用が終わるたびにゲージケースの中へピンゲージを収容しなくても、ピンゲージ用孔にピンゲージを立てておくことができる。したがって、本考案では、ピンゲージの使い勝手が良い。また、本考案では、ピンゲージの使い勝手が良いため、作業者は、ＮＣ工作機械等の近くに置かれるピンゲージをピンゲージ用孔に立てておくようになり、その結果、ピンゲージの紛失を抑制することが可能になる。また、本考案のピンゲージスタンドには、ゲージケースが立てられるケース用孔が形成されているため、収容箱から持ってきたゲージケースの紛失を抑制することが可能になる。
【０００９】
本考案において、ピンゲージスタンドには、複数のピンゲージ用孔が一列に配列されるように形成され、複数のケース用孔が一列に配列されるように形成されるとともに、ピンゲージ用孔とケース用孔とが対をなすように隣接して形成されていることが好ましい。このように構成すると、複数のピンゲージ用孔が一列に配列されるように形成され、複数のケース用孔が一列に配列されるように形成されているため、ピンゲージ用孔およびケース用孔の配列方向に直交する方向でピンゲージスタンドを小型化することが可能になる。また、このように構成すると、ピンゲージ用孔とケース用孔とが対をなすように隣接して形成されているため、ピンゲージとこのピンゲージが収容されるゲージケースとの対応が明確になる。したがって、ピンゲージを収容箱に戻す際に、あるピンゲージが他のピンゲージ用のゲージケースに収容されるのを防止することが可能になる。
【００１０】
本考案において、ピンゲージスタンドには、オネジ用のネジリングゲージが収容されるリングゲージ用孔が形成されていることが好ましい。このように構成すると、ＮＣ工作機械等の近くに置かれるオネジ用のネジリングゲージの紛失を抑制することが可能になる。
【００１１】
本考案において、ピンゲージスタンドは、ピンゲージ用孔およびケース用孔が形成される略直方体状のピンゲージ保持部と、ピンゲージ保持部の１つの側面の下端側から突出するように形成されるとともにリングゲージ用孔が形成される略平板状のリングゲージ保持部とを備え、略階段状に形成されていることが好ましい。このように構成すると、ＮＣ工作機械等の近くに配置されるピンゲージスタンドを安定させることが可能になり、その結果、ピンゲージスタンドが倒れにくくなる。
【考案の効果】
【００１２】
以上のように、本考案のピンゲージスタンドでは、ＮＣ工作機械等の近くに置かれるピンゲージの紛失を抑制することが可能になり、かつ、ピンゲージの使い勝手が良くなる。
【図面の簡単な説明】
【００１３】
【図１】本考案の実施の形態にかかるピンゲージスタンドの斜視図である。
【考案を実施するための形態】
【００１４】
以下、図面を参照しながら、本考案の実施の形態を説明する。
【００１５】
（ピンゲージスタンドの構成）
図１は、本考案の実施の形態にかかるピンゲージスタンド１の斜視図である。以下では、図１に示すように、互いに直交する３方向のそれぞれをＸ方向、Ｙ方向およびＺ方向とするとともに、Ｘ方向を「左右方向」、Ｙ方向を「前後方向」、Ｚ方向を「上下方向」とする。
【００１６】
本形態のピンゲージスタンド１は、ゲージケース２に収容された状態のピンゲージ３が多数収容される収容箱（図示省略）から取り出されたピンゲージ３を、ＮＣ工作機械等の機械の近くに置くためのものである。また、本形態のピンゲージスタンド１は、オネジ用のネジリングゲージ４を機械の近くに置くためのものである。このピンゲージスタンド１は、たとえば、機械１台ごとに機械の近くに設置されるテーブル上に置かれる。また、このピンゲージスタンド１は、持ち運びが容易な小型のスタンドである。
【００１７】
ピンゲージスタンド１は、ピンゲージ３が立てられるピンゲージ用孔１ａと、ゲージケース２が立てられるケース用孔１ｂとが形成されるピンゲージ保持部１ｃを備えている。また、ピンゲージスタンド１は、ネジリングゲージ４が収容されるリングゲージ用孔１ｄが形成されるリングゲージ保持部１ｅを備えている。ピンゲージ保持部１ｃは、左右方向に長い略直方体状に形成されている。リングゲージ保持部１ｅは、左右方向に長い略長方形の平板状（扁平な直方体状）に形成されている。また、リングゲージ保持部１ｅは、ピンゲージ保持部１ｃの前面の下端側から突出するように形成されており、ピンゲージスタンド１は、全体として、２段の略階段状に形成されている。すなわち、ピンゲージスタンド１は、左右方向から見たときの形状が略Ｌ形状となるように形成されている。
【００１８】
ピンゲージ用孔１ａおよびケース用孔１ｂは、ピンゲージ保持部１ｃの上面から窪むように形成されている。ピンゲージ用孔１ａは、円柱状に形成されるピンゲージ３の下端側が収容されるように丸孔状に形成されている。ケース用孔１ｂは、円筒状や多角筒状に形成されるゲージケース２の下端側が収容されるように丸孔状に形成されている。ケース用孔１ｂの内径は、ピンゲージ用孔１ａの内径よりも大きくなっている。なお、ゲージケース２には、たとえば、１本のピンゲージ３が収容可能となっている。
【００１９】
ピンゲージ保持部１ｃには、複数のピンゲージ用孔１ａが左右方向に一定のピッチで形成されている。すなわち、ピンゲージ保持部１ｃには、複数のピンゲージ用孔１ａが左右方向において一列に配列されるように形成されている。また、ピンゲージ保持部１ｃには、複数のケース用孔１ｂが左右方向に一定のピッチで形成されている。すなわち、ピンゲージ保持部１ｃには、複数のケース用孔１ｂが左右方向において一列に配列されるように形成されている。本形態では、ピンゲージ保持部１ｃに形成されるピンゲージ用孔１ａの数とケース用孔１ｂの数とが等しくなっている。また、ピンゲージ用孔１ａとケース用孔１ｂとは、対をなすように前後方向で隣接して形成されている。具体的には、ピンゲージ用孔１ａがピンゲージ保持部１ｃの前面側に形成され、ケース用孔１ｂがピンゲージ保持部１ｃの後面側に形成されている。
【００２０】
リングゲージ用孔１ｄは、リングゲージ保持部１ｅの上面から窪むように形成されている。リングゲージ用孔１ｄは、円板状に形成されるネジリングゲージ４が収容されるように丸孔状に形成されている。リングゲージ保持部１ｅには、複数のリングゲージ用孔１ｄが左右方向に所定のピッチで形成されている。
【００２１】
なお、本形態では、ピンゲージスタンド１の持ち運びが容易になるように、たとえば、ピンゲージスタンド１の左右方向の幅は１５０ｍｍとなっており、ピンゲージスタンド１の後面側の高さは７０ｍｍとなっており、ピンゲージスタンド１の下端側の前後方向の幅は１００ｍｍとなっている。また、たとえば、ピンゲージ保持部１ｃの前後方向の幅は４０ｍｍとなっており、リングゲージ保持部１ｅの高さは２０ｍｍとなっている。また、たとえば、ピンゲージ用孔１ａの内径は７．５ｍｍとなっており、ピンゲージ用孔１ａの深さは２８ｍｍとなっている。さらに、たとえば、ケース用孔１ｂの内径は１８ｍｍとなっており、ケース用孔１ｂの深さは３０ｍｍとなっている。また、たとえば、リングゲージ用孔１ｄの内径は３３ｍｍまたは１８ｍｍとなっており、リングゲージ用孔１ｄの深さは２ｍｍとなっている。
【００２２】
（本形態の主な効果）
以上説明したように、本形態では、ピンゲージスタンド１にピンゲージ３が立てられるピンゲージ用孔１ａが形成されている。そのため、ピンゲージ３を使用するたびにゲージケース２の中からピンゲージ３を取り出さなくても、また、ピンゲージ３の使用が終わるたびにゲージケース２の中へピンゲージ３を収容しなくても、ピンゲージ用孔１ａにピンゲージ３を立てておくことができる。したがって、本形態では、ピンゲージ３の使い勝手が良い。また、本形態では、ピンゲージ３の使い勝手が良いため、作業者は、ＮＣ工作機械等の近くに置かれるピンゲージ３をピンゲージ用孔１ａに立てておくようになり、その結果、ピンゲージ３の紛失を抑制することが可能になる。また、本形態のピンゲージスタンド１にケース用孔１ｂが形成されているため、収容箱から持ってきたゲージケース２の紛失を抑制することが可能になる。
【００２３】
本形態では、複数のピンゲージ用孔１ａが左右方向において一列に配列されるように形成され、複数のケース用孔１ｂが左右方向において一列に配列されるように形成されている。そのため、本形態では、前後方向でピンゲージスタンド１を小型化することが可能になる。また、本形態では、ピンゲージ用孔１ａとケース用孔１ｂとが対をなすように前後方向で隣接して形成されているため、ピンゲージ３とこのピンゲージ３が収容されるゲージケース２との対応が明確になる。したがって、ピンゲージ３を収容箱に戻す際に、あるピンゲージ３が他のピンゲージ３用のゲージケース２に収容されるのを防止することが可能になる。
【００２４】
本形態では、ピンゲージスタンド１にリングゲージ用孔１ｄが形成されているため、ＮＣ工作機械等の近くに置かれるリングゲージ４の紛失を抑制することが可能になる。また、本形態では、ピンゲージスタンド１が略階段状に形成されているため、ピンゲージスタンド１を安定させることが可能になり、その結果、ピンゲージスタンド１が倒れにくくなる。
【００２５】
（他の実施の形態）
上述した形態では、ピンゲージスタンド１にリングゲージ保持部１ｅが形成されているが、ピンゲージスタンド１にリングゲージ保持部１ｅが形成されなくても良い。また、上述した形態では、ピンゲージ保持部１ｃに形成されるピンゲージ用孔１ａの数とケース用孔１ｂの数とが等しくなっているが、ピンゲージ用孔１ａの数とケース用孔１ｂの数とが異なっていても良い。また、上述した形態では、ピンゲージ用孔１ａとケース用孔１ｂとが隣接しているが、ピンゲージ用孔１ａとケース用孔１ｂとは隣接していなくても良い。なお、ピンゲージ用孔１ａにメネジ用のネジゲージが立てられても良い。
【符号の説明】
【００２６】
１  ピンゲージスタンド
１ａ  ピンゲージ用孔
１ｂ  ケース用孔
１ｃ  ピンゲージ保持部
１ｄ  リングゲージ用孔
１ｅ  リングゲージ保持部
２  ゲージケース
３  ピンゲージ
４  ネジリングゲージ
【図１】
0003178034.tif 000003